(57)【要約】  ブレンダ（１ａ）は、容器（２０）とポンプ（２８）と切削部（４１）と駆動部（２６）と制御部（２９）とを備える。容器は被粉砕材を収容する。ポンプは容器内の空気を排出する。切削部は被粉砕材を粉砕する。駆動部は切削部を回転させる。制御部はポンプと駆動部とを制御して、減圧工程と粉砕工程とを実行する。減圧工程において、制御部はポンプを制御して、容器内の気圧を０．０５気圧以下に下げる。粉砕工程において、制御部は駆動部を制御して、第１の所定期間、第１の回転速度で切削部を回転させ、第１の所定期間に続く第２の所定期間、第１の回転速度より速い第２の回転速度で切削部を回転させる。本態様によれば、０．０５気圧以下の容器内で、固形物と液体とを含む被粉砕材の全体を粉砕することができる。
2018190183.tif 000002
【特許請求の範囲】
【請求項１】
被粉砕材を収容するように構成された容器と、  前記容器内の空気を排出するように構成されたポンプと、  前記被粉砕材を粉砕するように構成された切削部と、  前記切削部を回転させるように構成された駆動部と、  前記ポンプと前記駆動部とを制御して、減圧工程と粉砕工程とを実行するように構成された制御部と、を備え、  前記減圧工程において、前記制御部は前記ポンプを制御して、前記容器内の気圧を０．０５気圧以下に下げるように構成され、  前記粉砕工程において、前記制御部は前記駆動部を制御して、第１の所定期間、第１の回転速度で前記切削部を回転させ、前記第１の所定期間に続く第２の所定期間、前記第１の回転速度より速い第２の回転速度で前記切削部を回転させるように構成されたブレンダ。
【請求項２】
前記制御部が、前記減圧工程と前記粉砕工程との間に、前記ポンプと前記駆動部とを休止させる休止工程を行うように構成された、請求項１に記載のブレンダ。
【請求項３】
前記容器を振動させるように構成された振動部をさらに備え、  前記制御部が、前記休止工程と前記粉砕工程との間、および、前記粉砕工程における前記第１の所定期間と前記第２の所定期間との間の少なくとも一方に、前記振動部を作動させるように構成された、請求項２に記載のブレンダ。
【請求項４】
前記切削部が、水平面から上方に４５〜９０°の範囲で傾斜した両端を有する第１の刃を備えた、請求項１に記載のブレンダ。
【請求項５】
前記切削部が、平坦な形状を有し、単結晶の材質で形成された第２の刃をさらに備えた、請求項４に記載のブレンダ。
【発明の詳細な説明】
【技術分野】
【０００１】  本開示は、一般家庭で手軽にジュース、スムージ、スープなどを作製するブレンダに関する。
【背景技術】
【０００２】  従来、ブレンダは、被粉砕材を収容する容器と、被粉砕材を粉砕する切削部と、切削部を回転させる駆動部と、駆動部を制御する制御部とを備える。従来のブレンダによれば、固形物と液体とを含む被粉砕材を粉砕して、液状のジュース、ペースト状のスムージ、スープなどを、一般家庭でも手軽に作製することができる。【０００３】  しかしながら、被粉砕材である食品を切削、粉砕した後は時間の経過とともに食品の成分の分解が進行し、新鮮なジュースやスムージを作製しても、栄養成分は次第に減少する可能性がある。【０００４】  この問題を解決するために、吸引ポンプを用いて容器内の空気を排出し、容器内を低酸素状態にすることにより、栄養成分の酸化を防止する真空電動調理器が提案されている（例えば、特許文献１参照）。【０００５】  スープなどの熱い食品を容器に収納し撹拌する場合に、容器内の気体が膨張し、容器内の圧力が過剰に上昇して、容器の蓋が意図せず開くことがある。【０００６】  この問題を解決するために、栄養成分の酸化を防止するとともに、調理容器内の圧力の過剰な上昇を抑制し、食品を加工する調理器も提案されている（例えば、特許文献２参照）。
【先行技術文献】
【特許文献】
【０００７】
【特許文献１】特開２０１５−１５７１２９号公報
【特許文献２】国際公開第２０１４／０５４３０１号
【発明の概要】
【０００８】  上記従来技術によれば、密閉された容器内の空気を排出することで、食品の酸化が防止される。そのため、容器内の気圧を０．０５気圧以下に下げると、常温でも容器内が沸騰する。
【０００９】  被粉砕材に含まれる液体の量が少ない場合、沸騰により生じた気泡によって被粉砕材に含まれる固形物が浮き上がる。容器内の気圧が０．０５気圧以下であるために、被粉砕材に含まれる固形物が容器の内壁に強く固着する。このような状態で、１５０００ｒｐｍ以上の回転速度で切削部を回転させても、切削部に当接した被粉砕材の一部分しか切削することができない。
【００１０】  本開示は、上記従来の問題を解決するもので、０．０５気圧以下の容器内で、固形物と液体とを含む被粉砕材の全体を粉砕することが可能なブレンダを提供することを目的とする。
【００１１】  本開示の一態様のブレンダは、容器とポンプと切削部と駆動部と制御部とを備える。容器は被粉砕材を収容する。ポンプは容器内の空気を排出する。切削部は被粉砕材を粉砕する。駆動部は切削部を回転させる。制御部はポンプと駆動部とを制御して、減圧工程と粉砕工程とを実行する。
【００１２】  減圧工程において、制御部はポンプを制御して、容器内の気圧を０．０５気圧以下に下げる。粉砕工程において、制御部は駆動部を制御して、第１の所定期間、第１の回転速度で切削部を回転させ、第１の所定期間に続く第２の所定期間、第１の回転速度より速い第２の回転速度で切削部を回転させる。
【００１３】  本態様のブレンダは、０．０５気圧以下の容器内で、固形物と液体とを含む被粉砕材の全体を粉砕することができる。
【図面の簡単な説明】
【００１４】
【図１】図１は、本開示の実施の形態１に係るブレンダの模式図である。
【図２】図２は、実施の形態１に係るブレンダにより実施される各調理工程の順序および時間を示す図である。
【図３】図３は、実施の形態１に係るブレンダの減圧工程および休止工程における容器内の固形物の高さの時間変化を示す図である。
【図４】図４は、実施の形態１に係るブレンダの粉砕工程における切削部の回転速度の時間変化を示す図である。
【図５】図５は、水の飽和蒸気圧曲線を示す図である。
【図６】図６は、本開示の実施の形態２に係るブレンダの模式図である。
【図７】図７は、実施の形態２に係るブレンダにより実施される各調理工程の順序および時間を示す図である。
【図８】図８は、実施の形態２に係るブレンダの減圧工程および休止工程における容器内の固形物の高さの時間変化を示す図である。
【図９】図９は、実施の形態２に係るブレンダの粉砕工程における切削部の回転速度の時間変化を示す図である。
【図１０】図１０は、本開示の実施の形態３に係るブレンダの切削部の斜視図である。
【図１１】図１１は、実施の形態３に係るブレンダにより実施される各調理工程の順序および時間を示す図である。
【図１２】図１２は、実施の形態３に係るブレンダの減圧工程および休止工程における容器内の固形物の高さの時間変化を示す図である。
【図１３】図１３は、実施の形態３に係るブレンダの粉砕工程における切削部の回転速度の時間変化を示す図である。
【図１４Ａ】図１４Ａは、第１の刃が容器２０の内壁に固着した固形物に接触する様子を模式的に示す図である。
【図１４Ｂ】図１４Ｂは、第１の刃が容器２０の内壁に固着した固形物に接触する様子を模式的に示す図である。
【図１５】図１５は、本開示の実施の形態４に係るブレンダの切削部の斜視図である。
【図１６Ａ】図１６Ａは、実施の形態４に係るブレンダの第２の刃の平面図である。
【図１６Ｂ】図１６Ｂは、実施の形態４に係るブレンダの第２の刃の上面側から見た斜視図である。
【図１６Ｃ】図１６Ｃは、実施の形態４に係るブレンダの第２の刃の下面側から見た斜視図である。
【図１７】図１７は、実施の形態４に係るブレンダにより実施される各調理工程の順序および時間を示す図である。
【図１８】図１８は、実施の形態４に係るブレンダの粉砕工程における切削部の回転速度の時間変化を示す図である。
【発明を実施するための形態】
【００１５】  本開示の第１の態様のブレンダは、容器とポンプと切削部と駆動部と制御部とを備える。容器は被粉砕材を収容する。ポンプは容器内の空気を排出する。切削部は被粉砕材を粉砕する。駆動部は切削部を回転させる。制御部はポンプと駆動部とを制御して、減圧工程と粉砕工程とを実行する。
【００１６】  減圧工程において、制御部はポンプを制御して、容器内の気圧を０．０５気圧以下に下げる。粉砕工程において、制御部は駆動部を制御して、第１の所定期間、第１の回転速度で切削部を回転させ、第１の所定期間に続く第２の所定期間、第１の回転速度より速い第２の回転速度で切削部を回転させる。
【００１７】  本開示の第２の態様のブレンダでは、第１の態様に加えて、制御部が、減圧工程と粉砕工程との間に、ポンプと駆動部とを休止させる休止工程を行うように構成される。
【００１８】  本開示の第３の態様のブレンダでは、第２の態様に加えて、容器を振動させるように構成された振動部をさらに備える。制御部は、休止工程と粉砕工程との間、および、粉砕工程における第１の所定期間と第２の所定期間との間の少なくとも一方に、振動部を作動させるように構成される。
【００１９】  本開示の第４の態様のブレンダでは、第１の態様に加えて、切削部が、水平面から上方に４５〜９０°の範囲で傾斜した両端を有する第１の刃を備える。
【００２０】  本開示の第５の態様のブレンダでは、第４の態様に加えて、切削部が、平坦な形状を有し、単結晶の材質で形成された第２の刃をさらに備える。
【００２１】  以下、本開示の実施の形態について、図面を参照しながら説明する。
【００２２】  （実施の形態１）  図１は、本開示の実施の形態１に係るブレンダ１ａの模式図である。図１に示すように、ブレンダ１ａは、本体２２と、本体２２上に配置された円錐台形状の容器２０と、容器２０の上部開口を覆う蓋２１とを備える。
【００２３】  容器２０は、固形物と液体とを含む被粉砕材を収容する。容器２０は、その側面に設けられた把手２３と、その底部に設けられ複数の刃で構成された切削部４１とを備える。切削部４１の下方には、刃固定台２５が設けられる。切削部４１と刃固定台２５とは、着脱可能に容器２０に取り付けられる。
【００２４】  切削部４１は、本体２２に内蔵されたモータ２６に連結された回転軸４０に取り付けられる。モータ２６が回転すると、回転軸４０とともに切削部４１が回転する。粉砕工程において、回転する切削部４１が被粉砕材に接触し、被粉砕材を粉砕する。
【００２５】  容器２０の底面は直径１００ｍｍほどの円形形状であり、容器２０の上部開口は直径１６０ｍｍほどの円形形状である。容器２０の側面は、底面から上部開口に向って約１０度の角度で広がる傾斜を有する。容器２０は、約２２０ｍｍの高さと約１万立方ｃｍの容量とを有する。
【００２６】  切削部４１は、斜め上方を向いた複数の刃と、容器２０の底面に平行な複数の刃とが組み合わされて形成される。容器２０の底面からの切削部４１の高さは１０ｍｍほどである。
【００２７】  容器２０内の気密性を保持するために、容器２０の上縁と接触する蓋２１の部分にパッキン２７が配設される。
【００２８】  蓋２１の一部は、把手２３の上面と嵌合する。本体２２の上部には凸部３１が設けられる。凸部３１の上面は、把手２３の下面と嵌合する。
【００２９】  蓋２１の内部には流路３０ａが設けられ、把手２３の内部には流路３０ｂが設けられ、凸部３１の内部には流路３０ｃが設けられる。
【００３０】  流路３０ａの一端は容器２０の内部と連通する。流路３０ａの他端は、紙、不織布などで構成されたフィルタ３６を介して流路３０ｂの上端に接続される。流路３０ｂの下端は、流路３０ｃの上端と接続される。流路３０ｃの下端はポンプ２８に接続される。
【００３１】  すなわち、内部に設けられた流路３０ａ、３０ｂ、３０ｃが連通するように、蓋２１、把手２３、凸部３１が連結される。ポンプ２８は、流路３０ａ、３０ｂ、３０ｃを介して容器２０の内部と連通する。
【００３２】  本体２２は、切削部４１を回転させるモータ２６と、容器２０内の空気を排出するポンプ２８と、制御部２９とを内蔵する。モータ２６は駆動部に相当する。
【００３３】  減圧工程において、流路３０ａ、３０ｂ、３０ｃを介して、ポンプ２８は容器２０内の空気を排出する。制御部２９は、マイクロコンピュータで構成され、モータ２６とポンプ２８とを制御する。
【００３４】  本体２２には、操作部（図示せず）が設けられる。操作部は、減圧工程を開始させるスタートボタン（図示せず）を備える。
【００３５】  本体２２の下部に設けられた電源コード３４を介して、商用電源からの交流電力がブレンダ１ａに供給される。使用者が操作部のスタートボタンを操作すると、制御部２９が、モータ２６とポンプ２８とを制御して、減圧工程と粉砕工程とを実行する。
【００３６】  以上のように構成されたブレンダについて、以下その動作を説明する。具体的には、以下の説明は、ブレンダ１ａを使用して、予め茹でておいた人参、南瓜、玉葱と少量の水とを含む被粉砕材から、常温でペーストを作製する調理工程に関する。
【００３７】  図２は、ブレンダ１ａにより実施される各調理工程の順序および時間を示す。図３は、減圧工程および休止工程における容器２０内の固形物の高さの時間変化を示す。
【００３８】  まず、使用者が、人参、南瓜、玉葱と少量の水とを容器２０に投入する。この時、固形物（人参、南瓜、玉葱）は容器２０の底面に接触し、少量の水に浸かっている。容器２０に投入する水の量は、最も多くて５００ｇであり、好ましくは８０ｇ〜２５０ｇである。
【００３９】  容器２０の中央付近に位置する固形物の高さ（以下、容器２０内の固形物の高さという）は容器２０の底面から２０ｍｍであり（図３参照）、水面の高さは底面から１０ｍｍである。すなわち、被粉砕材の一部分は、水面から露出している。この時、容器２０内の水面の高さは切削部４１の末端とほぼ同じ高さである。
【００４０】  続いて、使用者が、パッキン２７が取り付けられた蓋２１で容器２０の上部開口を覆う。使用者が、蓋２１と把手２３と凸部３１との嵌合、および、流路３０ａ、３０ｂの間に配置されたフィルタ３６を確認する。使用者がスタートボタンを押すと、ポンプ２８が作動して減圧工程が開始される（図２参照）。
【００４１】  ポンプ２８は、流路３０ａ、３０ｂ、３０ｃを介して、容器２０内の空気を排出する。容器２０内の気圧が低下すると、容器２０内で小さい気泡が発生する。この時、減圧工程の開始当初と同様に、投入された固形物（人参、南瓜、玉葱）は容器２０の底面に接触し、少量の水に浸かっている。容器２０内の固形物の高さは２０ｍｍであり、水面の高さは１０ｍｍである。減圧工程では、モータ２６は作動しない。
【００４２】  減圧工程では、粉砕された食材の酸化を防止するために、容器２０内を０．０５気圧以下の低酸素状態にする。
【００４３】  減圧工程が開始して１０分経過すると、ポンプ２８が停止して減圧工程が終了する。この時、被粉砕材に含まれる水の量が少なくても、十分に容器２０内の空気を排出し、容器２０内の気圧を０．０５気圧以下に下げることができる。
【００４４】  容器２０内の気圧が０．０５気圧以下である場合、常温でも、容器２０内の水は沸騰する。容器２０内の固形物は、沸騰により生じた気泡によって６０ｍｍ浮き上がり、容器２０内の気圧が低いため、容器２０の内壁に固着する。この時、容器２０内の固形物である人参、南瓜、玉葱の高さは約８０ｍｍである（図３参照）。
【００４５】  なお、沸騰とは、液体から気体へ相転移する気化が、液体の表面からだけではなく液体の内部からも起こることで、気泡が激しく発生する現象を意味する。
【００４６】  図５は、水の飽和蒸気圧曲線を示す図である。図５に示すように、飽和蒸気圧は０℃では０．００６気圧、２０℃では０．０２６気圧、４０℃では０．０７３気圧、６０℃では０．２気圧である。すなわち、飽和蒸気圧は、３０℃以下の常温で０．０５気圧以下である。
【００４７】  容器２０内の気圧が０．０５気圧以下に下がると、液体の内部から生じる気泡内の蒸気圧が容器２０内の気圧と等しくなり、常温でも容器２０内の液体が沸騰する。
【００４８】  図２に示すように、減圧工程に続く休止工程において、制御部２９はポンプ２８とモータ２６とを３分間休止させる。
【００４９】  休止工程の間に気泡の発生が収まり、気泡による固形物の浮き上がりが弱まる。この時、容器２０内の固形物の高さは４５ｍｍである（図３参照）。
【００５０】  圧力の低下が止まれば、飽和温度の低下は止まる。沸騰によって蒸発潜熱が奪われて水の温度は低下する。このため、水の温度が飽和温度に等しくなった時点で、沸騰は終了する。
【００５１】  休止工程に続いて粉砕工程が開始される。本実施の形態の粉砕工程は、第１の粉砕工程〜第３の粉砕工程で構成される。図４は、粉砕工程における切削部４１の回転速度の時間変化を示す。
【００５２】  図２、図４に示すように、第１の粉砕工程では、切削部４１は、第１の所定期間である２分間に第１の回転速度である５０００ｒｐｍで回転する。第１の粉砕工程では、切削部４１が直接的に被粉砕材を切削する。同時に、回転する切削部４１が、容器２０の内壁に固着した固形物を少しずつ剥離する。剥離した固形物は容器２０の底に沈む。
【００５３】  この場合、ペースト状になった被粉砕材と、容器２０の内壁に固着した被粉砕材とが混在する。粉砕工程が進むにつれて、容器２０の内壁に固着する固形物の量が少なくなる。
【００５４】  第１の粉砕工程に続く第２の粉砕工程では、切削部４１は、第２の所定期間である１分間に第２の回転速度である１００００ｒｐｍで回転する。第２の粉砕工程では、第１の粉砕工程で粉砕できなかった被粉砕材を、第１の回転速度より速い第２の回転速度である１００００ｒｐｍで切削する。同時に、回転する切削部４１が、容器２０の内壁に固着した固形物を少しずつ剥離する。剥離した固形物は容器２０の底に沈む。
【００５５】  この場合、ペースト状になった被粉砕材と、容器２０の内壁に固着した被粉砕材とが混在する。粉砕工程が進むにつれて、容器２０の内壁に固着する固形物の量がさらに少なくなる。
【００５６】  第２の粉砕工程に続く第３の粉砕工程では、切削部４１は、第３の所定期間である１分間に第３の回転速度である２００００ｒｐｍで回転する。第３の粉砕工程では、第２の粉砕工程で粉砕できなかった被粉砕材を、第２の回転速度より速い第３の回転速度である２００００ｒｐｍで切削する。同時に、回転する切削部４１が、容器２０の内壁に固着した固形物を少しずつ剥離する。剥離した固形物は容器２０の底に沈む。
【００５７】  第３の粉砕工程が終了すると、固形物はすべて粉砕され、被粉砕材の全体がペーストになる。
【００５８】  以上のように、本実施の形態によれば、被粉砕材の全体を粉砕しペーストに変えることができる。
【００５９】  本実施の形態によれば、減圧工程において、容器２０内を０．０５気圧以下の低酸素状態として、被粉砕材の全体をペースト状に変えた食材の酸化を防止することができる。
【００６０】  本実施の形態では、粉砕工程の初期には切削部４１を比較的遅い回転速度で回転させ、粉砕工程に進むにつれて切削部４１の回転速度を段階的に上昇させる。
【００６１】  これにより、被粉砕材において液体の量が少なく固形物の量が多いときに、被粉砕材に含まれる液体が常温で沸騰し、沸騰により生じた気泡によって被粉砕材に含まれる固形物が浮き上がったり、容器２０内の気圧が０．０５気圧以下であるために、被粉砕材に含まれる固形物が容器２０の内壁に強く固着したりした場合でも、切削部４１が、被粉砕材を十分に切削することができる。
【００６２】  また、回転する切削部４１が、容器２０の内壁に固着した固形物を少しずつ剥離することができる。その結果、被粉砕材の全体の粉砕を行うことができる。
【００６３】  本実施の形態では、減圧工程と粉砕工程との間に設けられた休止工程において、ポンプ２８とモータ２６が休止する。これにより、気泡の発生が収まり、気泡によって固形物が浮き上がる現象も収まる。その結果、固形物が切削部４１に接触しやすくなり、固形物を効率的に粉砕することができる。
【００６４】  本開示は、切削部４１の回転速度、各工程の順序および時間、被粉砕材の種類などに関して、上記実施の形態に限定されない。
【００６５】  例えば、上記第３の粉砕工程では、第３の回転速度を２００００ｒｐｍに設定した。しかし、第３の回転速度を１５０００ｒｐｍ以上に設定すれば、同様の効果を得ることができる。
【００６６】  （実施の形態２）  以下、本開示の実施の形態２に係るブレンダ１ｂについて説明する。以下の説明において、実施の形態１と同一または相当部分には同一符号を付し、重複する説明を省略する。
【００６７】  本実施の形態では、上記実施の形態１と異なり、比較的重量の軽い食材が被粉砕材として用いられる。ブレンダ１ｂは、制御部２９により制御されて容器２０を振動させる振動部３５を備えた容器２０を有する。
【００６８】  以下、本実施の形態の動作について説明する。具体的には、以下の説明は、ブレンダ１ｂを使用して、パセリ、トマト、少量のオイル、少量の酢を含む被粉砕材から、常温でペーストを作製する調理工程に関する。
【００６９】  図６は、ブレンダ１ｂの模式図である。図７は、ブレンダ１ｂにより実施される各調理工程の順序および時間を示す。図８は、ブレンダ１ｂの減圧工程および休止工程における容器２０内の固形物の高さの時間変化を示す。図９は、粉砕工程における切削部４１の回転速度の時間変化を示す。
【００７０】  まず、使用者が、パセリ、トマト、少量のオイル、少量の酢を被粉砕材として容器２０に投入する。この時、固形物（パセリ、トマト）は容器２０の底面に接触し、少量のオイルおよび酢に浸かっている。容器２０内の固形物の高さは容器２０の底面から３０ｍｍであり、液面の高さは底面から１０ｍｍである。
【００７１】  続いて、使用者が、パッキン２７が取り付けられた蓋２１で容器２０の上部開口を覆う。使用者が、蓋２１と把手２３と凸部３１との嵌合を確認する。使用者が、流路３０ａと流路３０ｂの間の所定位置へのフィルタ３６の配置を確認する。
【００７２】  使用者が操作部のスタートボタンを押すと、ポンプ２８が作動して減圧工程が開始される（図７参照）。容器２０内の気圧が低下すると、容器２０内で小さい気泡が発生する。
【００７３】  この時、減圧工程の開始当初と同様に、投入された固形物（パセリ、トマト）は容器２０の底面に接触し、少量のオイルおよび酢に浸かっている。容器２０内の固形物の高さは３０ｍｍであり、液面の高さは１０ｍｍである。減圧工程では、モータ２６は作動しない。
【００７４】  減圧工程では、粉砕された食材の酸化を防止するために、容器２０内を０．０５気圧以下の低酸素状態にする。
【００７５】  減圧工程が開始して５分経過すると、ポンプ２８が停止して減圧工程が終了する。この時、被粉砕材に含まれる水の量が少なくても、十分に容器２０内の空気を排出し、容器２０内の気圧を０．０５気圧以下に下げることができる。
【００７６】  容器２０内の気圧が０．０５気圧以下である場合、常温でも、容器２０内の水は沸騰する。容器２０内の固形物は、沸騰により生じた気泡によって７０ｍｍ浮き上がり、容器２０内の気圧が低いため、容器２０の内壁に固着する。特に、パセリは軽量なので、浮き上がりやすい。この時、容器２０内の固形物であるパセリ、トマトの高さは１００ｍｍである（図８参照）。
【００７７】  図７に示すように、減圧工程に続く休止工程において、制御部２９はポンプ２８とモータ２６とを２分間休止させる。休止工程の間に気泡の発生が収まり、気泡による固形物の浮き上がりが弱まる。この時、容器２０内の固形物の高さは８０ｍｍである（図８参照）。
【００７８】  休止工程に続く振動工程において、制御部２９は振動部３５を作動させて、容器２０を１分間振動させる。容器２０を振動させることにより、浮き上がったパセリを沈めることができる。これにより、パセリが切削部４１に接触しやすくなる。この時、容器２０内の固形物の高さは４５ｍｍである。
【００７９】  振動工程に続いて粉砕工程が開始される。本実施の形態の粉砕工程は、第１の粉砕工程と第２の粉砕工程とで構成される。図９は、粉砕工程における切削部４１の回転速度の時間変化を示す。
【００８０】  図７、図９に示すように、第１の粉砕工程では、切削部４１は、第１の所定期間である１分間に第１の回転速度である１００００ｒｐｍで回転する。第１の粉砕工程では、切削部４１が直接的に被粉砕材を切削する。同時に、回転する切削部４１が、容器２０の内壁に固着した固形物を少しずつ剥離する。剥離した固形物は容器２０の底に沈む。
【００８１】  この場合、ペースト状になった被粉砕材と、容器２０の内壁に固着した被粉砕材とが混在する。粉砕時間が進むにつれて、容器２０の内壁に固着する固形物の量が少なくなる。
【００８２】  第２の粉砕工程では、切削部４１は、第２の所定期間である１分間に第２の回転速度である２００００ｒｐｍで回転する。第２の粉砕工程では、第１の粉砕工程で粉砕できなかった被粉砕材を、第１の回転速度より速い第２の回転速度である２００００ｒｐｍで切削する。同時に、回転する切削部４１が、容器２０の内壁に固着した固形物を少しずつ剥離する。剥離した固形物は容器２０の底に沈む。
【００８３】  第２の粉砕工程が終了すると、固形物はすべて粉砕され、被粉砕材の全体がペーストになる。
【００８４】  以上のように、本実施の形態によれば、被粉砕材の全体を粉砕しペーストに変えることができる。
【００８５】  本開示は、切削部４１の回転速度、各工程の順序および時間、被粉砕材の種類などに関して、上記実施の形態に限定されない。例えば、上記第２の粉砕工程では、第２の回転速度を２００００ｒｐｍに設定した。しかし、第２の回転速度を１５０００ｒｐｍ以上に設定すれば、同様の効果を得ることができる。
【００８６】  本実施の形態では、振動工程が、休止工程と第１の粉砕工程との間に実行される。しかし、振動工程が、第１の粉砕工程と第２の粉砕工程との間に実行されても良い。
【００８７】  （実施の形態３）  以下、本開示の実施の形態３に係るブレンダ１ｃについて説明する。ブレンダ１ｃは、実施の形態１に係るブレンダ１ａ（図１参照）とほぼ同様の構成を有する。ここでは、主に実施の形態１と相違する事項について説明する。
【００８８】  図１０は、ブレンダ１ｃの切削部４１の斜視図である。図１０に示すように、本実施の形態では、切削部４１は、屈曲した刃４１ａを有する。刃４１ａの中央部分には、刃４１ａを回転軸４０に連結するための孔が設けられる。
【００８９】  刃４１ａの両端は、水平面から上方に４５〜９０°の範囲で傾斜するように、折り曲げられる。刃４１ａの両端はそれらの末端に向かってテーパ状形状を有し、それらの末端は円弧形状を有する。
【００９０】  刃４１ａは、回転軸４０が回転すると被粉砕材にぶつかる二つの縁の各々にそれぞれ設けられた二つの切れ刃２４ａを有する。刃４１ａは、切削部４１が回転軸４０に連結された場合に、その末端が容器２０の内壁から僅かに離間するような長さを有する。刃４１ａは第１の刃に相当する。
【００９１】  以下、本実施の形態の動作について説明する。具体的には、以下の説明は、ブレンダ１ｃを使用して、予め茹でておいた人参、南瓜、玉葱と少量の水とを含む被粉砕材から、常温でペーストを作製する調理工程に関する。
【００９２】  図１１は、ブレンダ１ｃにより実施される各調理工程の順序および時間を示す。図１２は、ブレンダ１ｃの減圧工程および休止工程における容器２０内の固形物の高さの時間変化を示す。
【００９３】  まず、使用者が、人参、南瓜、玉葱と少量の水とを容器２０に投入する。この時、固形物（人参、南瓜、玉葱）は容器２０の底面に接触し、少量の水に浸かっている。容器２０内の固形物の高さは容器２０の底面から２０ｍｍであり（図１２参照）、水面の高さは底面から１０ｍｍである。
【００９４】  続いて、使用者が、パッキン２７が取り付けられた蓋２１で容器２０の上部開口を覆う。使用者が、蓋２１と把手２３と凸部３１との嵌合を確認する。使用者が、流路３０ａと流路３０ｂの間の所定位置へのフィルタ３６の配置を確認する。
【００９５】  使用者が操作部のスタートボタンを押すと、ポンプ２８が作動して減圧工程が開始される（図１１参照）。容器２０内の気圧が低下すると、容器２０内で小さい気泡が発生する。
【００９６】  この時、減圧工程の開始当初と同様に、投入された固形物（人参、南瓜、玉葱）は容器２０の底面に接触し、少量の水に浸かっている。容器２０内の固形物の高さは２０ｍｍであり、水面の高さは１０ｍｍである。減圧工程では、モータ２６は作動しない。
【００９７】  減圧工程では、粉砕された食材の酸化を防止するために、容器２０内を０．０５気圧以下の低酸素状態にする。
【００９８】  減圧工程が開始して１０分経過すると、ポンプ２８が停止して減圧工程が終了する。この時、被粉砕材に含まれる水の量が少なくても、十分に容器２０内の空気を排出し、容器２０内の気圧を０．０５気圧以下に下げることができる。
【００９９】  容器２０内の気圧が０．０５気圧以下である場合、常温でも、容器２０内の水は沸騰する。容器２０内の固形物は、沸騰により生じた気泡によって６０ｍｍ浮き上がり、容器２０内の気圧が低いため、容器２０の内壁に固着する。この時、容器２０内の固形物である人参、南瓜、玉葱の高さは８０ｍｍである（図１２参照）。
【０１００】  図１１に示すように、減圧工程に続く休止工程において、制御部２９はポンプ２８とモータ２６とを３０秒間休止させる。休止工程の間に気泡の発生が収まり、気泡による固形物の浮き上がりが弱まる。この時、容器２０内の固形物の高さは７５ｍｍである（図１２参照）。
【０１０１】  休止工程に続いて粉砕工程が開始される。本実施の形態の粉砕工程は、第１の粉砕工程〜第３の粉砕工程で構成される。図１３は、ブレンダ１ｃの粉砕工程における切削部４１の回転速度の時間変化を示す。
【０１０２】  図１１、図１３に示すように、第１の粉砕工程では、刃４１ａは、第１の所定期間である３０秒間に第１の回転速度である５０００ｒｐｍで回転する。第１の粉砕工程では、切削部４１が直接的に被粉砕材を切削する。同時に、回転する刃４１ａが、容器２０の内壁に固着した固形物を少しずつ剥離する。剥離した固形物は容器２０の底に沈む。
【０１０３】  本実施の形態によれば、切削部４１が、水平面から上方に４５〜９０°の範囲で傾斜した刃４１ａを有することで、刃４１ａによる撹拌性能が向上する。その結果、実施の形態１、２と比較して、休止工程を短くしても粉砕の性能を阻害しない。
【０１０４】  第１の粉砕工程に続く第２の粉砕工程では、刃４１ａは、第２の所定期間である３０秒間に第２の回転速度である１００００ｒｐｍで回転する。第２の粉砕工程では、第１の粉砕工程で粉砕できなかった被粉砕材を、第１の回転速度より速い第２の回転速度である１００００ｒｐｍで切削する。同時に、回転する切削部４１が、容器２０の内壁に固着した固形物を少しずつ剥離する。剥離した固形物は容器２０の底に沈む。
【０１０５】  この場合、ペースト状になった被粉砕材と、容器２０の内壁に固着した被粉砕材とが混在する。粉砕工程が進むにつれて、容器２０の内壁に固着する固形物の量がさらに少なくなる。
【０１０６】  第２の粉砕工程に続く第３の粉砕工程では、刃４１ａは、第３の所定期間である１分間に第３の回転速度である２００００ｒｐｍで回転する。第３の粉砕工程では、第２の粉砕工程で粉砕できなかった被粉砕材を、第２の回転速度より速い第３の回転速度である２００００ｒｐｍで切削する。同時に、回転する刃４１ａは、容器２０の内壁に固着した固形物を少しずつ剥離する。剥離した固形物は容器２０の底に沈む。
【０１０７】  第３の粉砕工程が終了すると、固形物はすべて粉砕され、被粉砕材の全体がペーストになる。
【０１０８】  第３の粉砕工程では、刃４１ａが２００００ｒｐｍで回転する。しかし、刃４１ａが１５０００ｒｐｍ以上で回転すれば、同様の効果を得ることができる。
【０１０９】  図１４Ａ、図１４Ｂは、刃４１ａが容器２０の内壁に固着した固形物に接触する様子を模式的に示す。図１４Ａは、刃４１ａの各々が水平面との間に４５°以上の角度を有する場合を示し、図１４Ｂは、刃４１ａの各々が水平面との間に４５°未満の角度を有する場合を示す。
【０１１０】  図１４Ａ、図１４Ｂに示すように、刃４１ａは、容器２０の内壁に固着した固形物を引き剥がすように力Ｆを加える。力Ｆは、上方向のベクトル成分Ｆｙと横方向のベクトル成分Ｆｘとに分解される。
【０１１１】  図１４Ａに示すように、刃４１ａが水平面から４５°以上の角度だけ上方に傾斜する場合、ベクトル成分Ｆｙよりベクトル成分Ｆｘが大きい。このため、回転する刃４１ａによって、容器２０の内壁に固着した固形物が容易に引き剥がされる。剥がれた固形物は、被粉砕物の対流によって容器２０の底に沈む。
【０１１２】  図１４Ｂに示すように、刃４１ａが水平面から４５°未満の角度だけ上方に傾斜する場合、ベクトル成分Ｆｘよりベクトル成分Ｆｙが大きい。このため、回転する刃４１ａによって、容器２０の内壁に固着した固形物が剥がれされ難い。むしろ、容器２０の内壁に固着した固形物はさらに上方に、すなわち、刃４１ａから離れる方向に移動する。従って、固形物が自重により沈むのを待つために、休止工程の時間をより長く設定する必要がある。
【０１１３】  以上のように、本実施の形態によれば、被粉砕材の全体を粉砕しペーストに変えることができる。
【０１１４】  （実施の形態４）  以下、本開示の実施の形態４に係るブレンダ１ｄについて説明する。ブレンダ１ｄは、実施の形態１に係るブレンダ１ａ（図１参照）および実施の形態３に係るブレンダ１ｃとほぼ同様の構成を有する。ここでは、主に実施の形態３と相違する事項について説明する。
【０１１５】  図１５は、ブレンダ１ｄの切削部４１の斜視図である。図１５に示すように、本実施の形態では、切削部４１は実施の形態３に示された刃４１ａに加えて、平坦で略長方形の形状を有する刃４１ｂをさらに備える。刃４１ａは、その長手方向が刃４１ｂのそれと直交するように、刃４１ｂに重ねられる。
【０１１６】  図１６Ａは刃４１ｂの平面図であり、図１６Ｂは、上面側から見た刃４１ｂの斜視図であり、図１６Ｃは、下面側から見た刃４１ｂの斜視図である。
【０１１７】  図１６Ａ〜図１６Ｃに示すように、刃４１ｂは、回転軸４０が回転すると被粉砕材にぶつかる二つの縁の各々にそれぞれ設けられた二つの切れ刃２４ｂを有する。刃４１ｂは、上面側にすくい面を有し、下面側に逃げ面を有する。刃４１ｂの中央部分には、刃４１ｂが回転軸４０の軸方向に直交するように、刃４１ｂを回転軸４０に連結するための孔が設けられる。
【０１１８】  刃４１ｂは、回転軸４０に連結された場合に、その末端が容器２０の内壁から僅かに離間するような長さを有する。刃４１ｂは、単結晶の材質により構成される。刃４１ｂは第２の刃に相当する。
【０１１９】  以下、本実施の形態の動作について説明する。具体的には、以下の説明は、ブレンダ１ｄを使用して、予め茹でておいた人参、南瓜、玉葱と少量の水とを含む被粉砕材から、常温でペーストを作製する調理工程に関する。
【０１２０】  図１７は、ブレンダ１ｄにより実施される各調理工程の順序および時間を示す。図１８は、ブレンダ１ｄの粉砕工程における切削部４１の回転速度の時間変化を示す。
【０１２１】  まず、使用者が、人参、南瓜、玉葱と少量の水とを容器２０に投入する。この時、固形物（人参、南瓜、玉葱）は容器２０の底面に接触し、少量の水に浸かっている。容器２０内の固形物の高さは容器２０の底面から２０ｍｍであり、水面の高さは底面から１０ｍｍである。
【０１２２】  続いて、使用者が、パッキン２７が取り付けられた蓋２１で容器２０の上部開口を覆う。使用者が、蓋２１と把手２３と凸部３１との嵌合を確認する。使用者が、流路３０ａと流路３０ｂの間の所定位置へのフィルタ３６の配置を確認する。
【０１２３】  使用者が操作部のスタートボタンを押すと、ポンプ２８が作動して減圧工程が開始される（図１７参照）。容器２０内の気圧が低下すると、容器２０内で小さい気泡が発生する。
【０１２４】  この時、減圧工程の開始当初と同様に、投入された固形物（人参、南瓜、玉葱）は容器２０の底面に接触し、少量の水に浸かっている。容器２０内の固形物の高さは２０ｍｍであり、水面の高さは１０ｍｍである。減圧工程では、モータ２６は作動しない。
【０１２５】  減圧工程では、粉砕された食材の酸化を防止するために、容器２０内を０．０５気圧以下の低酸素状態にする。
【０１２６】  減圧工程が開始して１０分経過すると、ポンプ２８が停止して減圧工程が終了する。この時、被粉砕材に含まれる水の量が少なくても、十分に容器２０内の空気を排出し、容器２０内の気圧を０．０５気圧以下に下げることができる。
【０１２７】  容器２０内の気圧が０．０５気圧以下である場合、常温でも、容器２０内の水は沸騰する。容器２０内の固形物は、沸騰により生じた気泡によって６０ｍｍ浮き上がり、容器２０内の気圧が低いため、容器２０の内壁に固着する。この時、容器２０内の固形物である人参、南瓜、玉葱の高さは８０ｍｍである。
【０１２８】  図１７に示すように、減圧工程に続く休止工程において、制御部２９はポンプ２８とモータ２６とを３０秒間休止させる。休止工程の間に気泡の発生が収まり、気泡による固形物の浮き上がりが弱まる。この時、容器２０内の固形物の高さは７５ｍｍである。
【０１２９】  休止工程に続いて粉砕工程が開始される。本実施の形態の粉砕工程は、第１の粉砕工程〜第３の粉砕工程で構成される。
【０１３０】  図１７、図１８に示すように、第１の粉砕工程では、刃４１ａは、第１の所定期間である３０秒間に第１の回転速度である５０００ｒｐｍで回転する。第１の粉砕工程では、切削部４１が直接的に被粉砕材を切削する。同時に、回転する刃４１ａが、容器２０の内壁に固着した固形物を少しずつ剥離する。剥離した固形物は容器２０の底に沈む。
【０１３１】  本実施の形態では、切削部４１が、水平面から上方に４５〜９０°の範囲で傾斜した刃４１ａを有することで、刃４１ａによる撹拌性能が向上する。その結果、休止工程を短くしても粉砕の性能を阻害しない。
【０１３２】  第１の粉砕工程に続く第２の粉砕工程では、刃４１ａは、第２の所定期間である２０秒間に第２の回転速度である１００００ｒｐｍで回転する。第２の粉砕工程では、第１の粉砕工程で粉砕できなかった被粉砕材を、第１の回転速度より速い第２の回転速度である１００００ｒｐｍで切削する。同時に、回転する切削部４１が、容器２０の内壁に固着した固形物を少しずつ剥離する。剥離した固形物は容器２０の底に沈む。
【０１３３】  この場合、ペースト状になった被粉砕材と、容器２０の内壁に固着した被粉砕材とが混在する。粉砕工程が進むにつれて、容器２０の内壁に固着する固形物の量がさらに少なくなる。
【０１３４】  第２の粉砕工程に続く第３の粉砕工程では、刃４１ａは、第３の所定期間である３０秒間に第３の回転速度である２００００ｒｐｍで回転する。第３の粉砕工程では、第２の粉砕工程で粉砕できなかった被粉砕材を、第２の回転速度より速い第３の回転速度である２００００ｒｐｍで切削する。同時に、回転する刃４１ａは、容器２０の内壁に固着した固形物を少しずつ剥離する。剥離した固形物は容器２０の底に沈む。
【０１３５】  第３の粉砕工程が終了すると、固形物はすべて粉砕され、被粉砕材の全体がペーストになる。
【０１３６】  本実施の形態によれば、切削部４１が刃４１ａに加えて刃４１ｂを有することで、刃４１ａによる撹拌性能が向上する。その結果、実施の形態１、２と比較して、休止工程を短くしても粉砕の性能を阻害しない。
【０１３７】  従来、刃は多結晶の材質で形成される。多結晶で形成された刃は、結晶構造に偏りがあるため脆い。従って、切れ刃を鋭利化することが困難であった。
【０１３８】  しかし、本実施の形態では、刃４１ｂは単結晶の材質で形成される。単結晶で形成された刃は、結晶構造が均一であるため強靭である。従って、単結晶の材質を用いることにより、ある程度の長さの鋭利な切れ刃２４ｂを形成することができる。
【０１３９】  より鋭利な切れ刃２４ｂを使うことで、粉砕効率が改善され、短時間で被粉砕物を完全に粉砕することができる。
【０１４０】  短時間で粉砕工程が終了すると、刃４１ｂとの摩擦による熱の発生を抑制することができる。その結果、被粉砕材に含まれる栄養成分への影響を防止することができる。被粉砕材に含まれるペクチンのβ分離および低分子化が防止される。その結果、従来とは異なるさらさらとした食感を得ることができる。短時間の粉砕工程のため、刃４１ｂの鋭利さを長期間保つこともできる。
【０１４１】  本実施の形態では、減圧工程を１０分間行う。しかし、容器内が０．０５気圧以下になりさえすれば、減圧工程の時間に関わらず同等の効果が見られる。
【産業上の利用可能性】
【０１４２】  以上のように、本開示はブレンダに適用可能である。
【符号の説明】
【０１４３】  １ａ、１ｂ、１ｃ、１ｄ  ブレンダ  ２０  容器  ２１  蓋  ２２  本体  ２３  把手  ２４ａ、２４ｂ  切れ刃  ２５  刃固定台  ２６  モータ  ２７  パッキン  ２８  ポンプ  ２９  制御部  ３０ａ、３０ｂ、３０ｃ  流路  ３１  凸部  ３４  電源コード  ３５  振動部  ３６  フィルタ  ４０  回転軸  ４１  切削部  ４１ａ、４１ｂ  刃
【図１】
2018190183.tif 000003
【図２】
2018190183.tif 000004
【図３】
2018190183.tif 000005
【図４】
2018190183.tif 000006
【図５】
2018190183.tif 000007
【図６】
2018190183.tif 000008
【図７】
2018190183.tif 000009
【図８】
2018190183.tif 000010
【図９】
2018190183.tif 000011
【図１０】
2018190183.tif 000012
【図１１】
2018190183.tif 000013
【図１２】
2018190183.tif 000014
【図１３】
2018190183.tif 000015
【図１４Ａ】
2018190183.tif 000016
【図１４Ｂ】
2018190183.tif 000017
【図１５】
2018190183.tif 000018
【図１６Ａ】
2018190183.tif 000019
【図１６Ｂ】
2018190183.tif 000020
【図１６Ｃ】
2018190183.tif 000021
【図１７】
2018190183.tif 000022
【図１８】
2018190183.tif 000023
【国際調査報告】
2018190183.tif 000024
2018190183.tif 000025
2018190183.tif 000026
2018190183.tif 000027